(57)【要約】      （修正有）【課題】無線通信システムにおいてショートメッセージサービス（ＳＭＳ）を効率的に伝達する方法及び装置を提供する。【解決手段】ＰＳドメインのコアネットワークノードにおけるＳＭＳの伝達方法は、端末からＣＳ網サービスのうちＳＭＳのみを使用することを指示する第１情報を受信し、ＰＳドメインのコアネットワークノードでＳＭＳをサポートすることを指示する第２情報を含む位置アップデートメッセージをＨＳＳに送信し、ＰＳドメインのコアネットワークノードを介したＳＭＳがサポートされるか否かを指示する第３情報を含む加入者情報をＨＳＳから受信し、サポートする場合、ＰＳ網を介したＳＭＳのサポートを指示する第４情報を送信し、第３情報に基づいてＣＳ網に対する位置アップデートを行うか否かを判断する。端末がＣＳ網サービスのうちＳＭＳを要請し、端末にＣＳ網サービスのうちＳＭＳがサポートされる場合、位置アップデートを行わない。【選択図】図７
2018129853.tif 000002
【特許請求の範囲】
【請求項１】
無線通信システムのＰＳ（ｐａｃｋｅｔ  ｓｗｉｔｃｈｅｄ）ドメインのコアネットワークノードにおけるショートメッセージサービス（ＳＭＳ）の伝達方法であって、
端末からＣＳ（ｃｉｒｃｕｉｔ  ｓｗｉｔｃｈｅｄ）網サービスのうちＳＭＳのみを使用（ＳＭＳ−ｏｎｌｙ）することを指示する第１情報を受信する段階と、
前記ＰＳドメインのコアネットワークノードでＳＭＳをサポートすることを指示する第２情報を含む位置アップデートメッセージをＨＳＳ（ｈｏｍｅ  ｓｕｂｓｃｒｉｂｅｒ  ｓｅｒｖｅｒ）に送信する段階と、
前記ＰＳドメインのコアネットワークノードを介したＳＭＳがサポートされるか否かを指示する第３情報を含む加入者情報を前記ＨＳＳから受信する段階と、
前記ＰＳドメインのコアネットワークノードを介したＳＭＳをサポートする場合、ＰＳ網を介したＳＭＳのサポートを指示する第４情報を送信する段階と、
前記第３情報に基づいて前記ＣＳ網に対する位置アップデートを行うか否かを判断する段階とを含み、
前記端末がＣＳ網サービスのうちＳＭＳを要請し、前記端末にＣＳ網サービスのうちＳＭＳがサポートされる場合、前記位置アップデートを行わないことを特徴とする方法。
【請求項２】
前記ＰＳドメインのコアネットワークノードを介したＳＭＳをサポートしない場合、ＰＳ網を介したＳＭＳをサポートしないことを指示する第５情報を送信する段階をさらに含むことを特徴とする請求項１に記載の方法。
【請求項３】
前記端末がＣＳ網サービスのうちＳＭＳを要請し、前記端末にＣＳ網サービスのうちＳＭＳがサポートされない場合、前記位置アップデートを行うことを特徴とする請求項１に記載の方法。
【請求項４】
無線通信システムにおける端末のショートメッセージサービス（ＳＭＳ）のサポート方法であって、
ＣＳ（ｃｉｒｃｕｉｔ  ｓｗｉｔｃｈｅｄ）網サービスのうちＳＭＳのみを使用（ＳＭＳ−ｏｎｌｙ）することを指示する第１情報を送信する段階と、
ＨＳＳ（ｈｏｍｅ  ｓｕｂｓｃｒｉｂｅｒ  ｓｅｒｖｅｒ）から受信した加入情報に基づいて、ＰＳ（ｐａｃｋｅｔ  ｓｗｉｔｃｈｅｄ）ドメインのコアネットワークノードを介したＳＭＳがサポートされると、前記ＰＳドメインのコアネットワークノードで判断する場合、前記ＰＳドメインのコアネットワークノードからＰＳ網を介したＳＭＳがサポートされるか否かを指示する第２情報を受信する段階と、
前記第２情報に基づいて前記ＣＳ網に対する位置アップデートを行うか否かを決定する段階と、
前記ＰＳ網を介したＳＭＳがサポートされない場合、前記ＣＳ網に対して位置アップデートを行う段階と、前記ＰＳ網を介したＳＭＳがサポートされる場合、前記ＰＳ網に対して位置アップデートを行い、前記ＣＳ網に対しては位置アップデートを行わない段階とを含むことを特徴とする方法。
【請求項５】
前記ＣＳ網サービスのうちＳＭＳが前記端末にサポートされ、前記ＰＳドメインのコアネットワークノードで前記ＰＳ網を介したＳＭＳの提供が可能である場合、前記第２情報はＳＭＳのサポートを指示することを特徴とする請求項４に記載の方法。
【請求項６】
前記ＰＳドメインのコアネットワークノードを介したＳＭＳをサポートしない場合、前記第２情報はＳＭＳをサポートしないことを指示することを特徴とする請求項４に記載の方法。
【請求項７】
無線通信システムのＰＳ（ｐａｃｋｅｔ  ｓｗｉｔｃｈｅｄ）ドメインのコアネットワークノードであって、
端末からＣＳ（ｃｉｒｃｕｉｔ  ｓｗｉｔｃｈｅｄ）網サービスのうちショートメッセージサービス（ＳＭＳ）のみを使用（ＳＭＳ−ｏｎｌｙ）することを指示する第１情報を受信し、
前記ＰＳドメインのコアネットワークノードでＳＭＳをサポートすることを指示する第２情報を含む位置アップデートメッセージをＨＳＳ（ｈｏｍｅ  ｓｕｂｓｃｒｉｂｅｒ  ｓｅｒｖｅｒ）に送信し、
前記ＰＳドメインのコアネットワークノードを介したＳＭＳがサポートされるか否かを指示する第３情報を含む加入者情報を前記ＨＳＳから受信し、
前記ＰＳドメインのコアネットワークノードを介したＳＭＳをサポートする場合、ＰＳ網を介したＳＭＳのサポートを指示する第４情報を送信し、前記第３情報に基づいて前記ＣＳ網に対する位置アップデートを行うか否かを判断し、前記端末がＣＳ網サービスのうちＳＭＳを要請し、前記端末にＣＳ網サービスのうちＳＭＳがサポートされる場合、前記位置アップデートを行わないように制御する制御部を含むことを特徴とするＰＳドメインのコアネットワークノード。
【請求項８】
前記制御部は、
前記ＰＳドメインのコアネットワークノードを介したＳＭＳをサポートしない場合、ＰＳ網を介したＳＭＳをサポートしないことを指示する第５情報を送信するように制御することを特徴とする請求項７に記載のＰＳドメインのコアネットワークノード。
【請求項９】
前記制御部は、
前記端末がＣＳ網サービスのうちＳＭＳを要請し、前記端末にＣＳ網サービスのうちＳＭＳがサポートされない場合、前記位置アップデートを行うように制御することを特徴とする請求項７に記載のＰＳドメインのコアネットワークノード。
【請求項１０】
無線通信システムにおけるショートメッセージサービス（ＳＭＳ）をサポートする端末であって、
ＣＳ（ｃｉｒｃｕｉｔ  ｓｗｉｔｃｈｅｄ）網サービスのうちＳＭＳのみを使用（ＳＭＳ  ｏｎｌｙ）することを指示する第１情報を送信し、
ＨＳＳ（ｈｏｍｅ  ｓｕｂｓｃｒｉｂｅｒ  ｓｅｒｖｅｒ）から受信した加入情報に基づいて、ＰＳ（ｐａｃｋｅｔ  ｓｗｉｔｃｈｅｄ）ドメインのコアネットワークノードを介したＳＭＳがサポートされると、前記ＰＳドメインのコアネットワークノードで判断する場合、前記ＰＳドメインのコアネットワークノードからＰＳ網を介したＳＭＳがサポートされるか否かを指示する第２情報を受信し、
前記第２情報に基づいて前記ＣＳ網に対する位置アップデートを行うか否かを決定し、
前記ＰＳ網を介したＳＭＳがサポートされない場合、前記ＣＳ網に対して位置アップデートを行い、前記ＰＳ網を介したＳＭＳがサポートされる場合、前記ＰＳ網に対して位置アップデートを行い、前記ＣＳ網に対しては位置アップデートを行わないように制御する制御部を含むことを特徴とする端末。
【請求項１１】
前記ＣＳ網サービスのうちＳＭＳが前記端末にサポートされ、前記ＰＳドメインのコアネットワークノードで前記ＰＳ網を介したＳＭＳの提供が可能である場合、前記第２情報はＳＭＳのサポートを指示することを特徴とする請求項１０に記載の端末。
【請求項１２】
前記ＰＳドメインのコアネットワークノードを介したＳＭＳをサポートしない場合、前記第２情報はＳＭＳをサポートしないことを指示することを特徴とする請求項１０に記載の端末。
【発明の詳細な説明】
【技術分野】
【０００１】
本発明は、ショートメッセージサービス（Ｓｈｏｒｔ Ｍｅｓｓａｇｅ Ｓｅｒｖｉｃｅ、以下、ＳＭＳ）を伝達する制御方法及び装置に関し、より具体的には、ＳＭＳメッセージを効率的に伝達する方法及び装置に関する。
【背景技術】
【０００２】
一般的に、ＳＭＳは、回線交換（Ｃｉｒｃｕｉｔ Ｓｗｉｔｃｈｅｄ、以下、ＣＳ）ドメイン（ｄｏｍａｉｎ）の移動通信交換局（Ｍｏｂｉｌｅ Ｓｗｉｔｃｈｉｎｇ Ｃｅｎｔｅｒ、以下、ＭＳＣ）を通じて提供されてきた。スマートフォン等によるデータ送信中心のトラフィックのためにＬＴＥネットワークを導入した移動通信事業者と、音声サービスをＣＳネットワークではないＬＴＥネットワークでＶｏＩＰを用いて提供する事業者とにとって、ただＳＭＳだけを提供するためだけにビジタ位置レジスタ（ＶＬＲ）／ＭＳＣのようなＣＳネットワークノードを維持、管理することは大きい負担となる。したがって、移動通信事業者は、ＭＳＣ無しに、即ち、ＣＳインフラ無しにユーザにパケット交換（Ｐａｃｋｅｔ Ｓｗｉｔｃｈｅｄ、以下、ＰＳ）を通じてＳＭＳを提供する方法を検討しつつある。
【０００３】
また、音声通信とデータ通信を共に使用する端末だけではなく、Ｍ２Ｍ（Ｍａｃｈｉｎｅ ｔｏ Ｍａｃｈｉｎｅ）機器やドングル（ｄｏｎｇｌｅ）などの音声通信は利用せずＰＳデータを伝達だけする端末の場合にも、ＳＭＳだけ追加的に必要な場合（例えば、ＯＭＡ−ＤＭ（Ｏｐｅｎ Ｍｏｂｉｌｅ Ａｌｌｉａｎｃｅ Ｄｅｖｉｃｅ Ｍａｎａｇｅｍｅｎｔ）などのプロバイダーが端末を設定する場合）が発生している。したがって、ＣＳサービスを利用せず、ＰＳサービス及びＳＭＳを利用する新しい種類の端末が登場している。
【０００４】
ＣＳインフラ無しにユーザにパケット交換ドメインのみを通じてＳＭＳを提供するためには、ＳＧＳＮ（Ｓｅｒｖｉｎｇ ＧＰＲＳ Ｓｕｐｐｏｒｔ Ｎｏｄｅ）がＳＭＳを移動局（Ｍｏｂｉｌｅ Ｓｔａｔｉｏｎ、以下、ＭＳ）に伝達することができる機能を具現していなければならない。このような機能を使用可能（ｅｎａｂｌｅ）にするか否かは移動通信事業者の選択事項である。したがって、移動通信事業者がこのような機能を具現しない場合もあり、ＳＧＳＮがこのような機能を具現していても、移動通信事業者の選択によってＳＧＳＮを通じてＳＭＳを伝達する機能を使用不可能（ｄｉｓａｂｌｅ）にすることもできる。
【０００５】
ＭＳが接続する移動通信事業者ネットワークでＰＳドメインを通じてＳＭＳを伝達する機能がサポートされる場合、ＰＳサービス及びＳＭＳだけを使用するＭＳは、ＰＳドメインにだけ接続してサービスを受ければ良い。これと比べて、ＭＳが接続する移動通信事業者ネットワークでＰＳドメインを通じてＳＭＳを伝達する機能がサポートされない場合、ＰＳサービス及びＳＭＳだけを使用するＭＳは、ＳＭＳ送受信のために必ずＣＳドメインにも接続しなければならない。
【０００６】
このように移動通信事業者ネットワークの構成（コアネットワークノードのＰＳネットワークでＳＭＳ伝達機能を具現するか否か、及びこれを移動通信事業者が使用するか否か）とＭＳが使用するサービス種類とによってＭＳが接続するドメイン（ＰＳ、ＣＳ、又はＰＳ及びＣＳ）が変わらなければならないという問題がある。
【０００７】
したがって、ＭＳが移動通信事業者ネットワークとの間で使用するサービスによって接続するドメインを決定して、無線通信システムでＳＭＳメッセージや小さいデータを効率的に伝達する方法及び装置が必要である。
【先行技術文献】
【特許文献】
【０００８】
【特許文献１】米国特許出願公開第２０１１／０１９４５０５号明細書
【非特許文献】
【０００９】
【非特許文献１】Huawei, HiSilicon，"Enabling SMS for PS-only"，3GPP SA WG2 Meeting #87 S2-114586，2011.10.14
【非特許文献２】Alcatel-Lucent，"VLR SGs paging retry"，3GPP SA WG2 Meeting #87 S2-114636，2011.10.14，pp.1-4
【発明の概要】
【発明が解決しようとする課題】
【００１０】
本発明は、上記のような問題点を解決するために案出されたもので、移動局（ＭＳ）が移動通信事業者ネットワークとの間で使用するサービスによって接続するドメインを決定して、無線通信システムでショートメッセージサービス（ＳＭＳ）メッセージや小さいデータを効率的に伝達する方法及び装置を提供することにその目的がある。
【課題を解決するための手段】
【００１１】
本発明の一実施態様によれば、無線通信システムのコアネットワークノードにおけるＳＭＳ伝達方法は、Ａｔｔａｃｈ／Ｕｐｄａｔｅ Ｔｙｐｅ及びＳＭＳだけを使用すること（ＳＭＳ ｏｎｌｙ）を指示するパラメーターを含むＡｔｔａｃｈ／Ｒｏｕｔｉｎｇ Ａｒｅａ Ｕｐｄａｔｅ（ＲＡＵ）リクエストメッセージを受信する段階と、上記コアネットワークノードでＳＭＳ伝達をサポートする場合、移動局にＳＭＳ伝達をサポートすること（ＳＭＳ ｉｎ ＳＧＳＮ Ｓｕｐｐｏｒｔ）を指示するパラメーターを含むＡｔｔａｃｈＡｃｃｅｐｔメッセージを送信する段階とを含むことを特徴とする。
【００１２】
本発明の別の実施態様によれば、無線通信システムの移動局におけるＳＭＳ伝達方法は、Ａｔｔａｃｈ Ｔｙｐｅ及びＳＭＳだけを使用すること（ＳＭＳ ｏｎｌｙ）を指示するパラメーターを含むＡｔｔａｃｈ／ＲＡＵリクエストメッセージを送信する段階と、コアネットワークノードから該コアネットワークノードでＳＭＳ伝達（ＳＭＳ ｉｎ ＳＧＳＮ）をサポートすること（ＳＭＳ ｉｎ ＳＧＳＮ Ｓｕｐｐｏｒｔｅｄ）を指示するパラメーターを含むＡｔｔａｃｈ Ａｃｃｅｐｔメッセージを受信する段階とを含むことを特徴とする。
【００１３】
本発明のさらに別の実施態様によれば、無線通信システムにおいてＳＭＳを伝達するコアネットワークノードは、Ａｔｔａｃｈ／Ｕｐｄａｔｅ Ｔｙｐｅ及びＳＭＳだけを使用すること（ＳＭＳ ｏｎｌｙ）を指示するパラメーターを含むＡｔｔａｃｈ／ＲＡＵリクエストメッセージを受信し、上記コアネットワークノードでＳＭＳ伝達をサポートする場合、移動局にＳＭＳ伝達をサポートすること（ＳＭＳ ｉｎ ＳＧＳＮ Ｓｕｐｐｏｒｔｅｄ）を指示するパラメーターを含むＡｔｔａｃｈ Ａｃｃｅｐｔメッセージを送信するように制御する制御部を含むことを特徴とする。
【００１４】
本発明のさらに別の実施態様によれば、無線通信システムにおいてＳＭＳを伝達する移動局は、Ａｔｔａｃｈ Ｔｙｐｅ及びＳＭＳだけを使用すること（ＳＭＳ ｏｎｌｙ）を指示するパラメーターを含むＡｔｔａｃｈ／ＲＡＵリクエストメッセージを送信し、コアネットワークノードから該コアネットワークノードでＳＭＳ伝達をサポートすること（ＳＭＳ ｉｎ ＳＧＳＮ Ｓｕｐｐｏｒｔｅｄ）を指示するパラメーターを含むＡｔｔａｃｈ Ａｃｃｅｐｔメッセージを受信するように制御する制御部を含むことを特徴とする。
【発明の効果】
【００１５】
本発明の一実施形態によれば、ＭＳが移動通信事業者ネットワークとの間で使用するサービスによって接続するドメインを決定して、無線通信システムでＳＭＳメッセージや小さいデータを効率的に伝達する方法及び装置を提供することができる。
【図面の簡単な説明】
【００１６】
【図１】本発明の一実施形態によるショートメッセージサービス（ＳＭＳ）伝達方法で移動局（ＭＳ）がＰａｃｋｅｔ Ｓｗｉｔｃｈｅｄ／Ｃｉｒｃｕｉｔ Ｓｗｉｔｃｈｅｄ（ＰＳ／ＣＳ）に同時にｃｏｍｂｉｎｅｄ接続を実行する場合、それによる接続ドメインを決定する過程及びそのための信号の流れを示す図面である。
【図２】本発明の一実施形態によるＳＭＳ伝達方法でＭＳがＰＳ接続を実行した場合、それによる接続ドメインを決定する過程及びそのための信号の流れを示す図面である。
【図３】本発明の一実施形態によるＳＭＳ伝達方法でＭＳがＣＳ接続を実行した場合、それによる接続ドメインを決定する過程及びそのための信号の流れを示す図面である。
【図４】本発明の一実施形態によるＳＭＳ伝達方法でＭＳが予めＣＳに接続中、ＰＳ接続を実行した場合、それによる接続ドメインを決定する過程及びそのための信号の流れを示す図面である。
【図５】本発明の一実施形態によるＳＭＳ伝達方法でＭＳが予めＰＳに接続中、ＣＳ接続を実行した場合、それによる接続ドメインを決定する過程及びそのための信号の流れを示す図面である。
【図６】本発明の一実施形態によるＳＭＳ伝達方法で無線接続ネットワーク（ＲａｄｉｏＡｃｃｅｓｓ Ｎｅｔｗｏｒｋ）ノードの指示（ｉｎｄｉｃａｔｉｏｎ）を用いて接続するドメインを決定する過程及びそのための信号の流れを示す図面である。
【図７】本発明の一実施形態によるＳＭＳ伝達方法でＭＳがＰＬＭＮや位置領域が変更された場合、それによる接続ドメインを決定する過程及びそのための信号の流れを示す図面である。
【発明を実施するための形態】
【００１７】
以下、添付された図面を参照して本発明の好ましい実施形態を詳しく説明する。このとき、添付された図面で同一構成要素には可能な限り同一符号を付していることに留意されたい。また、本発明の要旨を不明瞭にする公知機能及び構成に対する詳細な説明は省略する。
【００１８】
また、以下で本発明の実施形態を具体的に説明するにあたり、３ＧＰＰ ＬＴＥシステムを主な対象とするが、本発明の主な要旨は、類似の技術的背景及びシステム形態を有するその他の通信／コンピューターシステムにも本発明の範囲を大きく外れない範囲で僅かの変形で適用可能であり、これは本発明の技術分野の通常の技術的知識を有する者の判断で可能となろう。例えば、本発明で説明するＭＳは類似の通信機能を有する端末に、ＭＭＥはＰＳデータ送信に係る制御機能を有するネットワークノードに、ＭＳＣはＣＳデータ送信に係る制御機能を有するネットワークノードに、Ｈｏｍｅ Ｓｕｂｓｃｒｉｂｅｒ Ｓｅｒｖｅｒ／Ｈｏｍｅ Ｌｏｃａｔｉｏｎ Ｒｅｇｉｓｔｅｒ（ＨＳＳ／ＨＬＲ）はユーザ加入情報及び位置を保存するデータベースノードに対応付けられて適用されることができる。
【００１９】
また一方、以下で本発明の実施形態を具体的に説明するにあたり、ＳＭＳサービスを主な対象とするが、同一技術は、ＳＭＳの代わりに小さいデータ（Ｓｍａｌｌ Ｄａｔａ）を送信することに用いられることもできる。また、本発明で初期接続（Ａｔｔａｃｈ）に係る動作は、位置登録接続（例えば、ＲＡＵ）過程にも同様に対応付けられて適用されることができる。ひいては、本発明でＰＳネットワークを介するＳＭＳ伝達（ＳＭＳ ｏｖｅｒ ＰＳ）において、ＰＳネットワークは、ＳＧＳＮを例に挙げて説明されているが、これに限定されず、ＳＧＳＮ以外にもＰＳネットワークを介するＳＭＳ伝達が可能なすべてのｅｎｔｉｔｙになることができる。
【００２０】
＜第１実施形態＞
第１実施形態によれば、ＭＳとＣＮノードの対話（ｉｎｔｅｒａｃｔｉｏｎ）を通じて接続するドメインを決定することができる。
ＭＳが接続リクエストメッセージを送信した場合、ＭＳがＡｔｔａｃｈ Ｔｙｐｅ及びＳＭＳだけを使用する（ＳＭＳ−ｏｎｌｙ）のか否かと、事業者ネットワークのＰＳネットワークを介するＳＭＳ伝達（例えば、ＳＭＳ ｉｎ ＳＧＳＮ）をサポートするのか否かとによって、ＣＮノードはＭＳが接続するドメインを適切に決定することができる。ＭＳは、Ａｔｔａｃｈリクエストメッセージ送信のとき、どのドメインに接続を試みるのかと共にＳＭＳサービスをリクエストするのか否かをＣＮノードに指示することができ、ＣＮノードは、ＭＳがＰＳサービス及びＳＭＳサービスを使用するのか否か（ＰＳ ａｎｄ ＳＭＳ）と、ＰＳネットワークでＳＭＳを伝達する（ＳＭＳ ｉｎ ＳＧＳＮ Ｓｕｐｐｏｒｔ）のか否かとをＨＳＳ／ＨＲＬを通じて知る。
【００２１】
ＭＳがＰＳ／ＣＳに同時にｃｏｍｂｉｎｅｄ接続を実行する場合
図１は、本発明の一実施形態によるＳＭＳ伝達方法でＭＳがＰＳ／ＣＳに同時にｃｏｍｂｉｎｅｄ Ａｔｔａｃｈ／ＲＡＵを実行する場合、それによる接続ドメインを決定する過程及びそのための信号の流れを示す図面である。
図１を参照すれば、先ずＭＳ１０１は、１１０段階で、ＣＮノード（例えば、ＳＧＳＮ）１０３にＡｔｔａｃｈ／ＲＡＵリクエストメッセージを送信する。このとき、ＭＳ１０１は、ＰＳ／ＣＳ ｃｏｍｂｉｎｅｄ Ａｔｔａｃｈ／ＲＡＵをリクエストし、音声通話サービス無しにＳＭＳだけを使用すること（ＳＭＳ ｏｎｌｙ）を共に指示することができる。また、ＭＳ１０１は、Ａｔｔａｃｈ／ＲＡＵリクエストメッセージに接続形態をＰＳ／ＣＳ ｃｏｍｂｉｎｅｄとしてＳＭＳだけを使用すること（ＳＭＳ ｏｎｌｙ）を指示するパラメーター又はインジケーターなどを含んでＣＮノード１０３にこのような内容を通知することができる。
【００２２】
Ａｔｔａｃｈ／ＲＡＵリクエストメッセージを受信したＣＮノード１０３は、１２０段階で、ＨＳＳ／ＨＬＲ１０４との情報交換過程を経る。ＣＮノード１０３は、ＨＳＳ／ＨＬＲ１０４に送るメッセージ（例えば、Ｕｐｄａｔｅ Ｌｏｃａｔｉｏｎ）に自らがＰＳｄｏｍａｉｎを通じてＳＭＳサービスを提供することができることを指示する情報を含んで伝達することができる。ＨＳＳ／ＨＬＲ１０４は、その情報とユーザ加入情報を共に考慮して、ＣＮノード１０３に加入者情報（ｓｕｂｓｃｒｉｐｔｉｏｎ ｉｎｆｏｒｍａｔｉｏｎ）と共に又は加入者情報に含んでＭＳ１０１に対するＰＳネットワークを介するサービスと共にＳＭＳサービスを使用することに対してサポートするか否かの情報を提供することができる。即ち、ＣＮノード１０３は、ＨＳＳ／ＨＬＲ１０４からＭＳのサービス特徴に対する情報を受信することができる。
【００２３】
ＣＮノード１０３は、ＭＳ１０１から接続形態がＰＳ／ＣＳ ｃｏｍｂｉｎｅｄ接続であり、ＳＭＳだけを使用する（ＳＭＳ ｏｎｌｙ）という情報を受信し、ＨＳＳ／ＨＬＲ１０４からＭＳ１０１に対するＰＳネットワークを介するサービスと共にＳＭＳサービス使用するか否かの情報を受信する過程を通じて、ＭＳ１０１とＨＳＳ／ＨＬＲ１０４で情報を受信して一致するのか否かを確認することができる。
【００２４】
ＭＳ１０１がＰＳネットワークを介するサービスと共にＳＭＳサービスだけを使用するという情報を受信して確認したＣＮノード１０３は、ＰＳネットワークを介するＳＭＳ伝達（ＳＭＳ ｉｎ ＳＧＳＮ）をサポートする（ＳＭＳ ｉｎ ＳＧＳＮ Ｓｕｐｐｏｒｔｅｄ）のか否かによってＭＳ１０１に他の情報を送信する。また、ＣＮノード１０３は、ＰＳネットワークを介するＳＭＳの伝達をサポートするのか否かによってＣＳネットワーク（Ｍｏｂｉｌｅ Ｓｗｉｔｃｈｉｎｇ Ｃｅｎｔｅｒ（ＭＳＣ）又はＶｉｓｉｔｏｒ Ｌｏｃａｔｉｏｎ Ｒｅｓｉｓｔｅｒ（ＶＬＲ））と追加的な位置登録（Ｌｏｃａｔｉｏｎ Ｕｐｄａｔｅ）過程を実行するのか否かも決定する。
【００２５】
ＳＭＳ伝達（ＳＭＳ ｉｎ ＳＧＳＮ）をサポートしない場合、ＣＮノードは、１３０段階へ進行してＡｔｔａｃｈ ＡｃｃｅｐｔメッセージをＭＳ１０１へ送信し、それと共に又はそれに含んでＳＭＳ伝達（ＳＭＳ ｉｎ ＳＧＳＮ）をサポートしないという情報を共に送信することができる。その後、ＭＳ１０１は、直ちに１５０段階へ進行してＣＮノード１３０がＳＭＳ伝達をサポートする（ＳＭＳ ｉｎ ＳＧＳＮ Ｓｕｐｐｏｒｔｅｄ）か否かの情報を保存する。
【００２６】
ＣＮノード１０３がＳＭＳ伝達（ＳＭＳ ｉｎ ＳＧＳＮ）をサポートする場合、ＭＳ１０１はＣＳネットワークに接続する必要がないので、ＣＮノード１０３は、１４０段階へ進行し、ＰＳ接続だけ（ＧＲＰＳ ｏｎｌｙ）を受諾するＡｔｔａｃｈ ＡｃｃｅｐｔメッセージをＭＳ１０１へ送信する。この場合、ＣＮノード１０３は、ＳＭＳ伝達（ＳＭＳ ｉｎ ＳＧＳＮ）をサポートするという情報（ＳＭＳ−Ｓｕｐｐｏｒｔｅｄ）を共に送信したり、これをＡｔｔａｃｈ Ａｃｃｅｐｔメッセージに含んで共に送信したりすることができる。その後、ＭＳ１０１は、直ちに１５０段階へ進行し、ＣＮ１０３がＳＭＳ伝達（ＳＭＳ ｉｎ ＳＧＳＮ）をサポートする（ＳＭＳ−Ｓｕｐｐｏｒｔｅｄ）か否かの情報を保存する。
【００２７】
ＭＳ１０１は、ＳＭＳ伝達（ＳＭＳ ｉｎ ＳＧＳＮ）をサポートする（ＳＭＳ−Ｓｕｐｐｏｒｔｅｄ）か否かをＰＬＭＮ（Ｐｕｂｌｉｃ Ｌａｎｄ Ｍｏｂｉｌｅ Ｎｅｔｗｏｒｋ）別に、又は位置領域（Ｌｏｃａｔｉｏｎ Ａｒｅａ）別に保存して、追後ＰＬＭＮや位置領域（Ｌｏｃａｔｉｏｎ Ａｒｅａ）変更のとき、コアネットワークとの対話に使用することができる。
即ち、もしＰＳサービス及びＳＭＳサービスだけ必要なＭＳが、ＳＭＳ伝達がサポートされることを指示する情報を受信した場合、当該ＭＳはＣＳネットワークを介するいかなるｐｒｏｃｅｄｕｒｅも実行しなくても良いことを意味する。
【００２８】
本実施形態によれば、ＭＳがＰＳ／ＣＳドメインに同時にｃｏｍｂｉｎｅｄ接続を実行した場合、ＣＮノードがＭＳのリクエストに対してＭＳ及びＨＳＳ／ＨＬＲから確認を経た後、ＣＮノードがＳＭＳ伝達（ＳＭＳ ｉｎ ＳＧＳＮ）をサポートするか否かによって異なるように応答し、それによってＭＳがどのドメインに接続するのかを決定することができる。
【００２９】
ＭＳがＰＳ接続を実行した場合
図２は、本発明の一実施形態によるＳＭＳ伝達方法でＭＳがＰＳ接続を実行した場合、それによる接続ドメインを決定する過程及びそのための信号の流れを示す図面である。
図２を参照すれば、先ずＭＳ２０１は、２１０段階で、ＣＮノード２０３にＡｔｔａｃｈ／ＲＡＵリクエストメッセージを送信する。このとき、ＭＳ２０１は、ＰＳ接続（ＰＳＡｔｔａｃｈ）をリクエストし、音声通話サービスなしにＳＭＳだけを使用すること（ＳＭＳ ｏｎｌｙ）を共に通知することができる。また、ＭＳ２０１は、Ａｔｔａｃｈ／ＲＡＵリクエストメッセージに接続形態をＰＳ接続としてＳＭＳだけを使用すること（ＳＭＳ ｏｎｌｙ）を通知するパラメーター又はインジケーターなどを含んでＣＮノード２０３にこのような内容を通知することができる。
【００３０】
Ａｔｔａｃｈ／ＲＡＵリクエストメッセージを受信したＣＮノード２０３は、２２０段階で、ＨＳＳ／ＨＬＲ２０４との情報交換過程を経る。ＣＮノード２０３は、ＨＳＳ／ＨＬＲ２０４に送るメッセージ（例えば、Ｕｐｄａｔｅ Ｌｏｃａｔｉｏｎ）に自らがＰＳドメインを通じてＳＭＳサービスを提供することができることを通知する情報を含んで伝達することができる。ＨＳＳ／ＨＬＲ２０４は、その情報とユーザ加入情報を共に考慮して、ＣＮノード２０３に加入者情報（ｓｕｂｓｃｒｉｐｔｉｏｎ ｉｎｆｏｒｍａｔｉｏｎ）と共に又は加入者情報に含んでＭＳ２０１に対するＰＳネットワークを介するサービスと共にＳＭＳサービスを使用することに対してサポートするか否かの情報を提供することができる。即ち、ＣＮノード２０３は、ＨＳＳ／ＨＬＲ２０４からＭＳのサービス特徴に対する情報を受信することができる。
【００３１】
ＣＮノード２０３は、ＭＳ２０１から接続形態がＰＳ接続であり、ＳＭＳだけを使用する（ＳＭＳ ｏｎｌｙ）という情報を受信し、ＨＳＳ／ＨＬＲ２０４からＭＳ２０１に対するＰＳネットワークを介するサービスと共にＳＭＳサービス使用するか否かの情報を受信する過程を通じて、ＭＳ２０１とＨＳＳ／ＨＬＲ２０４で情報を受信して一致するのか否かを確認することができる。
【００３２】
ＭＳ２０１がＰＳネットワークを介するサービスと共にＳＭＳサービスだけ使用するという情報を受信して確認したＣＮノード２０３は、ＳＭＳ伝達（ＳＭＳ ｉｎ ＳＧＳＮ）をサポートするのか否かによってＭＳ２０１に他の情報を送信する。
ＳＭＳ伝達（ＳＭＳ ｉｎ ＳＧＳＮ）をサポートする場合、ＣＮノード２０３は、２３０段階へ進行し、Ａｔｔａｃｈ ＡｃｃｅｐｔメッセージをＭＳ２０１へ送信する。この場合、ＣＮノード２０３は、ＳＭＳ伝達（ＳＭＳ ｉｎ ＳＧＳＮ）をサポートするという情報をＡｔｔａｃｈ Ａｃｃｅｐｔメッセージに含んで送信することができる。ＭＳ２０１は、直ちに２６０段階へ進行し、ＣＮ２０３がＳＭＳ伝達（ＳＭＳ ｉｎ ＳＧＳＮ）をサポートするか否かの情報を保存する。
【００３３】
ＣＮノード２０３がＳＭＳ伝達（ＳＭＳ ｉｎ ＳＧＳＮ）をサポートしない場合、ＣＮノードは、２４０段階へ進行し、Ａｔｔａｃｈ ＡｃｃｅｐｔメッセージをＭＳ２０１へ送信しながらＳＭＳ伝達（ＳＭＳ ｉｎ ＳＧＳＮ）をサポートしないという情報を共に送信したり、これをＡｔｔａｃｈ Ａｃｃｅｐｔメッセージに含んで送信したりすることができる。これはＣＮノード２０３がＳＭＳ伝達（ＳＭＳ ｉｎ ＳＧＳＮ）をサポートしないので、ＭＳ２０１がＳＭＳを使用するためには別途のＣＳ接続が必要であるということをＭＳ２０１に通知するためである。Ａｔｔａｃｈ Ａｃｃｅｐｔメッセージと共にＳＭＳ伝達（ＳＭＳ ｉｎ ＳＧＳＮ）をサポートしないという情報を受信したＭＳ２０１は、２５０段階へ進行し、ＣＮノード２０３の指示（ｉｎｄｉｃａｔｉｏｎ）又はＭＳ２０１に保存された情報を用いてＳＭＳのためのＣＳ接続を実行するか否かを決定する。その後、ＭＳ２０１は、直ちに２６０段階へ進行し、ＣＮ２０３がＳＭＳ伝達（ＳＭＳ ｉｎ ＳＧＳＮ）をサポートするか否かの情報を保存する。
【００３４】
ＭＳ２０１は、ＳＭＳ伝達（ＳＭＳ ｉｎ ＳＧＳＮ）をサポートするか否かの情報をＰＬＭＮ（Ｐｕｂｌｉｃ Ｌａｎｄ Ｍｏｂｉｌｅ Ｎｅｔｗｏｒｋ）別に又は位置領域（Ｌｏｃａｔｉｏｎ Ａｒｅａ）別に保存し、追後ＰＬＭＮや位置領域（Ｌｏｃａｔｉｏｎ Ａｒｅａ）変更のとき、コアネットワークとの対話に使用することができる。
【００３５】
本実施形態によれば、ＭＳがＰＳドメイン接続を実行した場合、ＣＮノードがＭＳのリクエストに対してＭＳ及びＨＳＳ／ＨＬＲから確認を経た後、ＣＮノードがＳＭＳ伝達（ＳＭＳ ｉｎ ＳＧＳＮ）をサポートするか否かによって異なるように応答し、それによってＭＳがどのドメインに接続するのかを決定することができる。
【００３６】
ＭＳがＣＳ接続を実行した場合
図３は、本発明の一実施形態によるＳＭＳ伝達方法でＭＳがＣＳ接続を実行した場合、それによる接続ドメインを決定する過程及びそのための信号の流れを示す図面である。
図３を参照すれば、先ずＭＳ３０１は、３１０段階で、ＣＮノード３０３に接続リクエスト（Ａｔｔａｃｈ ｒｅｑｕｅｓｔ）メッセージを送信する。このとき、ＭＳ３０１は、音声通話サービスなしにＳＭＳだけを使用すること（ＳＭＳ ｏｎｌｙ）を共に通知することができる。また、ＭＳ３０１は、Ａｔｔａｃｈリクエストメッセージに接続形態をＣＳ接続としてＳＭＳだけを使用すること（ＳＭＳ ｏｎｌｙ）を通知するパラメーター又はインジケーターなどを含んでＣＮノード３０３にこのような内容を通知することができる。
【００３７】
接続リクエスト（Ａｔｔａｃｈ ｒｅｑｕｅｓｔ）メッセージを受信したＣＮノード３０３は、３２０段階で、ＨＳＳ／ＨＬＲ３０４との情報交換過程を経る。ＣＮノード３０３は、ＨＳＳ／ＨＬＲ３０４に送るメッセージ（例えば、Ｕｐｄａｔｅ Ｌｏｃａｔｉｏｎ）に自らがＰＳドメインを通じてＳＭＳサービスを提供することができることを指示する情報を含んで伝達することができる。ＨＳＳ／ＨＬＲ３０４は、その情報とユーザ加入情報を共に考慮して、ＣＮノード３０３に加入者情報（ｓｕｂｓｃｒｉｐｔｉｏｎ ｉｎｆｏｒｍａｔｉｏｎ）と共に又は加入者情報に含んでＭＳ３０１に対するＰＳネットワークを介するサービスと共にＳＭＳサービスを使用することに対してサポートするか否かの情報を提供することができる。即ち、ＣＮノード３０３は、ＨＳＳ／ＨＬＲ３０４からＭＳのサービス特徴に対する情報を受信することができる。
【００３８】
ＣＮノード３０３は、ＭＳ３０１から接続形態がＣＳ接続であり、ＳＭＳだけを使用する（ＳＭＳ ｏｎｌｙ）という情報を受信し、ＨＳＳ／ＨＬＲ３０４からＭＳ３０１に対するＰＳネットワークを介するサービスと共にＳＭＳサービス使用するか否かの情報を受信する過程を通じて、ＭＳ３０１とＨＳＳ／ＨＬＲ３０４で情報を受信して一致するのか否かを確認することができる。
【００３９】
ＭＳ３０１がＰＳネットワークを介するサービスと共にＳＭＳサービスだけ使用するという情報を受信して確認したＣＮノード３０３は、ＰＳネットワークを介するＳＭＳ伝達（ＳＭＳ ｉｎ ＳＧＳＮ）をサポートするのか否かによってＭＳ３０１に他の情報を送信する。また、ＣＮノード３０３は、ＳＭＳの伝達をサポートするのか否かによってＣＳネットワーク（ＭＳＣ又はＶＬＲ）と追加的な位置登録（Ｌｏｃａｔｉｏｎ Ｕｐｄａｔｅ）過程を実行するのか否かも決定する。
【００４０】
ＳＭＳ伝達（ＳＭＳ ｉｎ ＳＧＳＮ）をサポートしない場合、ＣＮノードは、３３０段階へ進行し、Ａｔｔａｃｈ ＡｃｃｅｐｔメッセージをＭＳ３０１へ送信する。この場合、ＣＮノード３０３は、ＳＭＳ伝達（ＳＭＳ ｉｎ ＳＧＳＮ）をサポートしないという情報をＡｔｔａｃｈ Ａｃｃｅｐｔメッセージに含んで送信することができる。ＭＳ３０１は、直ちに３６０段階へ進行し、ＣＮ３０３がＳＭＳ伝達（ＳＭＳ ｉｎ ＳＧＳＮ）をサポートするか否かの情報を保存する。
【００４１】
ＳＭＳ伝達（ＳＭＳ ｉｎ ＳＧＳＮ）をサポートする場合、ＭＳ３０１はＣＳネットワークに接続する必要がないので、ＣＮノード３０３は、３４０段階へ進行して、ＣＳ接続を拒絶するＡｔｔａｃｈ ｒｅｊｅｃｔメッセージをＭＳ３０１へ送信する。この場合、ＣＮノード３０３は、ＳＭＳ伝達（ＳＭＳ ｉｎ ＳＧＳＮ）をサポートするという情報を共に送信したり、これをＡｔｔａｃｈ ｒｅｊｅｃｔメッセージに含んで共に送信したりすることができる。この場合、ＭＳ３０１は、３５０段階へ進行し、ＣＮノード３０３の指示（ｉｎｄｉｃａｔｉｏｎ）又はＭＳ３０１に保存された情報を用いてＳＭＳのためのＰＳ接続を実行するか否かを決定する。その後、ＭＳ３０１は、直ちに３６０段階へ進行し、ＣＮ３０３がＳＭＳ伝達（ＳＭＳ ｉｎ ＳＧＳＮ）をサポートするか否かの情報を保存する。
【００４２】
ＭＳ３０１は、ＳＭＳ伝達（ＳＭＳ ｉｎ ＳＧＳＮ）をサポートするか否かの情報をＰＬＭＮ（Ｐｕｂｌｉｃ Ｌａｎｄ Ｍｏｂｉｌｅ Ｎｅｔｗｏｒｋ）別に又は位置領域（Ｌｏｃａｔｉｏｎ Ａｒｅａ）別に保存し、追後ＰＬＭＮや位置領域（Ｌｏｃａｔｉｏｎ Ａｒｅａ）変更のとき、コアネットワークとの対話に使用することができる。
【００４３】
本実施形態によれば、ＭＳがＣＳドメイン接続を実行した場合、ＣＮノードがＭＳのリクエストに対してＭＳ及びＨＳＳ／ＨＬＲから確認を経た後、ＣＮノードがＳＭＳ伝達（ＳＭＳ ｉｎ ＳＧＳＮ）をサポートするか否かによって異なるように応答し、それによってＭＳがどのドメインに接続するかを決定することができる。
【００４４】
ＣＳに予め接続されたＭＳがＰＳ接続を実行する場合
図４は、本発明の一実施形態によるＳＭＳ伝達方法でＭＳが予めＣＳに接続中、ＰＳ接続を実行した場合、それによる接続ドメインを決定する過程及びそのための信号の流れを示す図面である。
図４を参照すれば、先ずＭＳ４０１は、４１０段階で、ＣＮノード４０３にＡｔｔａｃｈ／ＲＡＵリクエストメッセージを送信する。このとき、ＭＳ４０１は、音声通話サービス無しにＳＭＳだけを使用すること（ＳＭＳ ｏｎｌｙ）を共に通知することができる。また、ＭＳ４０１は、Ａｔｔａｃｈ／ＲＡＵリクエストメッセージに接続形態をＰＳ接続としてＳＭＳだけを使用すること（ＳＭＳ ｏｎｌｙ）を通知するパラメーター又はインジケーターなどを含んでＣＮノード４０３にこのような内容を通知することができる。ひいては、ＭＳ４０１は、ＣＮノード４０３に予めＣＳ接続中の状態であることを通知することができる。
【００４５】
Ａｔｔａｃｈ／ＲＡＵリクエストメッセージを受信したＣＮノード４０３は、４２０段階で、ＨＳＳ／ＨＬＲ４０４との情報交換過程を経る。ＣＮノード４０３は、ＨＳＳ／ＨＬＲ４０４に送るメッセージ（例えば、Ｕｐｄａｔｅ Ｌｏｃａｔｉｏｎ）に自らがＰＳドメインを通じてＳＭＳサービスを提供することができることを通知する情報を含んで伝達することができる。ＨＳＳ／ＨＬＲ４０４は、その情報とユーザ加入情報を共に考慮してＣＮノード４０３に加入者情報（ｓｕｂｓｃｒｉｐｔｉｏｎ ｉｎｆｏｒｍａｔｉｏｎ）と共に又は加入者情報に含んでＭＳ４０１に対するＰＳネットワークを介するサービスと共にＳＭＳサービスを使用することに対してサポートするか否かの情報を提供することができる。即ち、ＣＮノード４０３は、ＨＳＳ／ＨＬＲからＭＳのサービス特徴に対する情報を受信することができる。
【００４６】
ＣＮノード４０３は、ＭＳ４０１から接続形態がＰＳ接続であり、ＳＭＳだけを使用する（ＳＭＳ ｏｎｌｙ）という情報と予めＣＳ接続中の状態であるという情報を受信し、ＨＳＳ／ＨＬＲ４０４からＭＳ４０１に対するＰＳネットワークを介するサービスと共にＳＭＳサービス使用するか否かの情報を受信する過程を通じて、ＭＳ４０１とＨＳＳ／ＨＬＲ４０４で情報を受信して一致するのか否かを確認することができる。
【００４７】
ＭＳ４０１がＰＳネットワークを介するサービスと共にＳＭＳサービスだけ使用するという情報を受信して確認したＣＮノード４０３は、ＰＳネットワークを介するＳＭＳ伝達（ＳＭＳ ｉｎ ＳＧＳＮ）をサポートするのか否かによってＭＳ４０１に他の情報を送信する。また、ＣＮノード４０３は、ＳＭＳを伝達をサポートするのか否かによってＣＳネットワーク（ＭＳＣ又はＶＬＲ）と追加的な位置登録（Ｌｏｃａｔｉｏｎ Ｕｐｄａｔｅ）過程を実行するのか否かも決定する。
【００４８】
即ち、ＳＭＳ伝達（ＳＭＳ ｉｎ ＳＧＳＮ）をサポートしない場合、ＣＮノード４０３は、４３０段階へ進行し、Ａｔｔａｃｈ ＡｃｃｅｐｔメッセージをＭＳ４０１へ送信しながら、ＳＭＳ伝達（ＳＭＳ ｉｎ ＳＧＳＮ）をサポートしないという情報を共に送信したり、これをＡｔｔａｃｈ Ａｃｃｅｐｔメッセージに含んで共に送信したりすることができる。Ａｔｔａｃｈ Ａｃｃｅｐｔメッセージと共にＳＭＳ伝達（ＳＭＳ ｉｎ ＳＧＳＮ）をサポートしないという情報を受信したＭＳ４０１は、直ちに４７０段階へ進行し、ＣＮ４０３がＳＭＳ伝達（ＳＭＳ ｉｎ ＳＧＳＮ）をサポートするか否かの情報を保存する。
【００４９】
ＳＭＳ伝達（ＳＭＳ ｉｎ ＳＧＳＮ）をサポートする場合、ＣＮノード４０３は、４４０段階へ進行し、ＰＳ接続を受諾するＡｔｔａｃｈ ＡｃｃｅｐｔメッセージをＭＳ４０１へ送信する。この場合、ＣＮノード４０３は、ＳＭＳ伝達（ＳＭＳ ｉｎ ＳＧＳＮ）をサポートするという情報を共に送信したり、これをＡｔｔａｃｈ Ａｃｃｅｐｔメッセージに含んで共に送信したりすることができる。
【００５０】
この場合、ＣＮノード４０３は、４５０段階で、ＭＳ４０１をＣＳネットワークから接続解除（ＩＭＳＩ ｄｅｔａｃｈ）させるために接続解除（ｄｅｔａｃｈ）メッセージを送信することができる。これは、ＭＳ４０１がＰＳ接続をするようになるのでこれ以上ＣＳ接続を維持する必要がなくなるためである。又は、ＣＮノード４０３が接続解除メッセージを送信しなくても、ＭＳ４０１は、ＣＳネットワークに接続された状態でＳＭＳ伝達（ＳＭＳ ｉｎ ＳＧＳＮ）を知ると、４６０段階で、ＣＳ接続を解除するためにＣＳ接続解除初期化（ｉｎｉｔｉａｔｉｎｇ ＣＳ ｄｅｔａｃｈ）を実行することもできる。その後、ＭＳ４０１は、４７０段階へ進行し、ＣＮ４０３がＳＭＳ伝達（ＳＭＳ ｉｎ ＳＧＳＮ）をサポートするか否かの情報を保存する。
【００５１】
ＭＳ４０１は、ＳＭＳ伝達（ＳＭＳ ｉｎ ＳＧＳＮ）をサポートするか否かの情報をＰＬＭＮ（Ｐｕｂｌｉｃ Ｌａｎｄ Ｍｏｂｉｌｅ Ｎｅｔｗｏｒｋ）別に又は位置領域（Ｌｏｃａｔｉｏｎ Ａｒｅａ）別に保存し、追後ＰＬＭＮや位置領域（Ｌｏｃａｔｉｏｎ Ａｒｅａ）変更のとき、コアネットワークとの対話に使用することができる。
【００５２】
本実施形態によれば、ＭＳがＣＳ接続中にＰＳドメイン接続を実行した場合、ＣＮノードがＭＳのリクエストに対してＭＳ及びＨＳＳ／ＨＬＲから確認を経た後、ＣＮノードがＳＭＳ伝達（ＳＭＳ ｉｎ ＳＧＳＮ）をサポートするか否かによって異なるように応答し、それによってＭＳがどのドメインに接続するのかを決定することができる。
【００５３】
ＰＳに予め接続されたＭＳがＣＳ接続を実行する場合
図５は、本発明の一実施形態によるＳＭＳ伝達方法でＭＳが予めＰＳに接続中、ＣＳ接続を実行した場合、それによる接続ドメインを決定する過程及びそのための信号の流れを示す図面である。
図５を参照すれば、先ずＭＳ５０１は、５１０段階で、ＣＮノード５０３にＡｔｔａｃｈ／ＲＡＵリクエストメッセージを送信する。このとき、ＭＳ５０１は、音声通話サービス無しにＳＭＳだけを使用すること（ＳＭＳ ｏｎｌｙ）を共に通知することができる。また、ＭＳ５０１は、Ａｔｔａｃｈ／ＲＡＵリクエストメッセージに接続形態をＣＳ接続としてＳＭＳだけを使用すること（ＳＭＳ ｏｎｌｙ）を通知するパラメーター又はインジケーターなどを含んでＣＮノード５０３にこのような内容を通知することができる。ひいては、ＭＳ５０１は、ＣＮノード５０３に予めＰＳ接続中の状態であることを通知することができる。
【００５４】
Ａｔｔａｃｈ／ＲＡＵリクエストメッセージを受信したＣＮノード５０３は、５２０段階で、ＨＳＳ／ＨＬＲ５０４との情報交換過程を経る。ＣＮノード５０３は、ＨＳＳ／ＨＬＲ５０４に送るメッセージ（例えば、Ｕｐｄａｔｅ Ｌｏｃａｔｉｏｎ）に自らがＰＳドメインを通じてＳＭＳサービスを提供することができることを通知する情報を含んで伝達することができる。ＨＳＳ／ＨＬＲ５０４は、その情報とユーザ加入情報を共に考慮してＣＮノード５０３に加入者情報（ｓｕｂｓｃｒｉｐｔｉｏｎ ｉｎｆｏｒｍａｔｉｏｎ）と共に又は加入者情報に含んでＭＳ５０１に対するＰＳネットワークを介するサービスと共にＳＭＳサービスを使用することに対してサポートするか否かの情報を提供することができる。即ち、ＣＮノード５０３は、ＨＳＳ／ＨＬＲ５０４からＭＳのサービス特徴に対する情報を受信することができる。
【００５５】
ＣＮノード５０３は、ＭＳ５０１から接続形態がＣＳ接続であり、ＳＭＳだけを使用する（ＳＭＳ ｏｎｌｙ）という情報を受信して、ＨＳＳ／ＨＬＲ５０４からＭＳ５０１に対するＰＳネットワークを介するサービスと共にＳＭＳサービス使用するか否かの情報を受信する過程を通じて、ＭＳ５０１とＨＳＳ／ＨＬＲ５０４の情報を受信して一致するのか否かを確認することができる。
【００５６】
ＭＳ５０１がＰＳネットワークを介するサービスと共にＳＭＳサービスだけ使用するという情報を受信して確認したＣＮノード５０３は、ＳＭＳ伝達（ＳＭＳ ｉｎ ＳＧＳＮ）をサポートするのか否かによってＭＳ５０１に他の情報を送信する。また、ＣＮノード５０３は、ＳＭＳの伝達をサポートするのか否かによってＣＳネットワーク（ＭＳＣ又はＶＬＲＶ）と追加的な位置登録（Ｌｏｃａｔｉｏｎ Ｕｐｄａｔｅ）過程を実行するのか否かも決定する。
【００５７】
ＳＭＳ伝達（ＳＭＳ ｉｎ ＳＧＳＮ）をサポートしない場合、ＣＮノードは、５３０段階へ進行し、Ａｔｔａｃｈ ＡｃｃｅｐｔメッセージをＭＳ５０１へ送信し、それと共に又はそれに含んでＳＭＳ伝達（ＳＭＳ ｉｎ ＳＧＳＮ）をサポートしないという情報を共に送信することができる。その後、ＭＳ５０１は、直ちに５５０段階へ進行して、ＣＮ５０３がＳＭＳ伝達（ＳＭＳ ｉｎ ＳＧＳＮ）をサポートするか否かの情報を保存する。
【００５８】
ＳＭＳ伝達（ＳＭＳ ｉｎ ＳＧＳＮ）をサポートする場合、ＭＳ５０１はＣＳネットワークに接続する必要がないので、ＣＮノード５０３は、５４０段階へ進行し、ＣＳ接続を拒絶するＡｔｔａｃｈ ｒｅｊｅｃｔメッセージをＭＳ５０１へ送信する。この場合、ＣＮノード５０３は、ＳＭＳ伝達（ＳＭＳ ｉｎ ＳＧＳＮ）をサポートするという情報を共に送信したり、これをＡｔｔａｃｈ ｒｅｊｅｃｔメッセージに含んで共に送信したりすることができる。その後、ＭＳ５０１は、直ちに５５０段階へ進行し、ＣＮ５０３がＳＭＳ伝達（ＳＭＳ ｉｎ ＳＧＳＮ）をサポートするか否かの情報を保存する。
【００５９】
ＭＳ５０１は、ＳＭＳ伝達（ＳＭＳ ｉｎ ＳＧＳＮ）をサポートするか否かの情報をＰＬＭＮ（Ｐｕｂｌｉｃ Ｌａｎｄ Ｍｏｂｉｌｅ Ｎｅｔｗｏｒｋ）別に又は位置領域（Ｌｏｃａｔｉｏｎ Ａｒｅａ）別に保存し、追後ＰＬＭＮや位置領域（Ｌｏｃａｔｉｏｎ Ａｒｅａ）変更のとき、コアネットワークとの対話に使用することができる。
【００６０】
本実施形態によれば、ＭＳがＰＳ接続中にＣＳドメイン接続を実行した場合、ＣＮノードがＭＳのリクエストに対してＭＳ及びＨＳＳ／ＨＬＲから確認を経た後、ＣＮノードがＳＭＳ伝達（ＳＭＳ ｉｎ ＳＧＳＮ）をサポートするか否かによって異なるように応答して、それによってＭＳがどのドメインに接続するのかを決定することができる。
【００６１】
＜第２実施形態＞
第２実施形態によれば、ＭＳがＲＡＮノードとの対話（ｉｎｔｅｒａｃｔｉｏｎ）を通じて接続するドメインを決定することができる。
図６は、本発明の一実施形態によるＳＭＳ伝達方法で無線接続ネットワーク（Ｒａｄｉｏ Ａｃｃｅｓｓ Ｎｅｔｗｏｒｋ、以下、ＲＡＮ）ノードの指示（ｉｎｄｉｃａｔｉｏｎ）を用いて接続するドメインを決定する過程及びそのための信号の流れを示す図面である。
図６でネットワークは、ＭＳ６０１、ＲＡＮノード６０２、及びコアネットワーク（Ｃｏｒｅ Ｎｅｔｗｏｒｋ、ＣＮ）ノード６０３で構成される。
【００６２】
先ずＣＮノード６０３は、ＲＡＮノード６０２（例えば、ＵＴＲＡＮ、ＧＥＲＡＮなど）との対話（ｉｎｔｅｒａｃｔｉｏｎ）を通じて、ＰＳネットワークを通じてＳＭＳを伝達すること（ＳＭＳ ｉｎ ＳＧＳＮ）ができるのか否かを設定する（図示せず）。ＲＡＮノード６０２は、６１０段階で、上記設定によってＰＳネットワークを介するＳＭＳ伝達をサポートするのか否かをＭＳ６０１に通知する。このとき、ＲＡＮノード６０２は、インジケーター（ｉｎｄｉｃａｔｏｒ）を通じて上記設定をＭＳ６０１に通知することができる。即ち、ＲＡＮノード６０２は、ＰＳネットワークを介するＳＭＳ伝達をサポートするのか否かに応じてインジケーター値を異にして上記インジケーターをＭＳ６０１へ送信し、ＭＳ６０１は、上記インジケーターを受信してＰＳネットワークを介するＳＭＳ伝達をサポートするのか否かを判断することができる。
【００６３】
ＭＳ６０１は、６２０段階で、ＲＡＮノード６０２を通じて受信したインジケーターに応じてＣＮノード６０３がＰＳネットワークを介するＳＭＳ伝達（ＳＭＳ ｉｎ ＳＧＳＮ）をサポートするのか否かの情報を保存し、Ａｔｔａｃｈ Ｔｙｐｅを決定することができる。その後、ＭＳ６０１は、６３０段階で、６２０段階で決定したＡｔｔａｃｈ ＴｙｐｅによってＣＮノード６０３にＡｔｔａｃｈリクエストメッセージを送信する。
【００６４】
本実施形態で、ＭＳは、ＲＡＮノードの指示を用いて接続するドメインを決定することができる。ＭＳは、ＣＮノードに接続する前にＲＡＮノードとの対話（ｉｎｔｅｒａｃｔｉｏｎ）を通じて、事業者ネットワークのＰＳネットワークを介するＳＭＳ伝達（ＳＭＳｉｎ ＳＧＳＮ）をサポートするのか否かを知り、それによってどのドメインに接続するのかを決定することができる。
【００６５】
＜第３実施形態＞
ＣＮノードのＰＳネットワークを介するＳＭＳ伝達（ＳＭＳ ｉｎ ＳＧＳＮ）をサポートするか否かがＰＬＭＮ別に適用されるか、それとも位置領域（Ｌｏｃａｔｉｏｎ Ａｒｅａ）（例えば、セル、ＴＡ、ＲＡ、ＬＡ）別に適用されるかは、事業者が選択することができる。第３実施形態によれば、ＭＳがＰＬＭＮ（Ｐｕｂｌｉｃ Ｌａｎｄ Ｍｏｂｉｌｅ Ｎｅｔｗｏｒｋ）又は位置領域（Ｌｏｃａｔｉｏｎ Ａｒｅａ）が変更された場合、ＭＳとＣＮノードの対話（ｉｎｔｅｒａｃｔｉｏｎ）を通じて接続するドメインを決定することができる。
【００６６】
図７は、本発明の一実施形態によるＳＭＳ伝達方法でＭＳがＰＬＭＮや位置領域が変更された場合、それによる接続ドメインを決定する過程及びそのための信号の流れを示す図面である。
先ず７１０段階で、ＭＳ７０１は、ＰＳ、ＣＳ、又はＳＭＳサービスのためにＣＮに接続されている状態である。７２０段階で、ＭＳ７０１がＰＬＭＮ（Ｐｕｂｌｉｃ Ｌａｎｄ Ｍｏｂｉｌｅ Ｎｅｔｗｏｒｋ）又は位置領域（Ｌｏｃａｔｉｏｎ Ａｒｅａ）変更を検出する。ＭＳ７０１は、７３０段階で、予め保存されたＣＮ７０３がＳＭＳ伝達（ＳＭＳ ｉｎ ＳＧＳＮ）をサポートする（ＳＭＳ−Ｓｕｐｐｏｒｔｅｄ）か否かによって決定するＡｔｔａｃｈ Ｔｙｐｅによって接続を初期化したり、位置をアップデートしたりできる。
【００６７】
上記の本発明の実施形態を実行するためにコアネットワークノード及びＭＳは、それぞれ制御部を含むことができる。
コアネットワークノード及びＭＳに含まれた制御部は、上記の実施形態を含むコアネットワークノード及びＭＳの全体動作を制御することができる。
本発明の実施形態による無線通信システムのコアネットワークノード（例えば、ＳＧＳＮ）の制御部は、接続手続き（Ａｔｔａｃｈ／ＲＡＵ ｐｒｏｃｅｄｕｒｅ）で自らがＰＳドメイン（ｄｏｍａｉｎ）を通じてＳＭＳ送信が可能であるか否かを通知する情報を他のコアネットワークノード（例えば、ＨＳＳ）に通知し、これを受信したコアネットワークノードがその情報を用いてＳＭＳ送信経路設定及び加入情報（ＳＭＳ ｉｎ ＳＧＳＮ Ｓｕｐｐｏｒｔｅｄ）を通知するように制御することができる。
【００６８】
本明細書及び図面に開示された本発明の実施形態は、本発明の記述内容を容易に説明して本発明の理解を助けるために特定例を提示したものであって、本発明の範囲を限定しようとするものではない。ここに開示された実施形態以外にも本発明の技術的思想に基づいた他の変形形態が実施可能であるということは、本発明が属する技術分野で通常の知識を有する者に明らかである。
【図１】
2018129853.tif 000003
【図２】
2018129853.tif 000004
【図３】
2018129853.tif 000005
【図４】
2018129853.tif 000006
【図５】
2018129853.tif 000007
【図６】
2018129853.tif 000008
【図７】
2018129853.tif 000009